(57)【要約】【課題】画像読取ユニットに対してＡＤＦユニットを副走査方向に容易に位置決めすることができる。【解決手段】画像読取ユニットに対するＡＤＦユニットの副走査方向の位置が調整可能になっており、位置調整マークがＡＤＦユニットの上流側ガイド部材に設けられている。位置調整マークは、予め設定されたマーク読取位置に対して、副走査方向の上流側の位置から下流側の位置まで所定範囲にわたって対向しており、副走査方向に一定の長さを有し、かつ、副走査方向の各位置における主走査方向に沿ったマーク幅が単調変化する形状になっている。制御部は、読取位置における位置調整マークの画像から得られるマーク幅に基づいてＡＤＦユニットの副走査方向のずれ量を演算し（Ｓ１１〜Ｓ１６）、表示部に表示する（Ｓ１７〜Ｓ２１）。【選択図】図８
2011234201.tif 000002
【特許請求の範囲】
【請求項１】
自動原稿搬送ユニットの副走査方向の位置が画像読取ユニットに対して調整可能になった画像読取装置であって、
前記自動原稿搬送ユニットに設けられたマーク保持部であって、前記画像読取ユニットにおける読取位置に対して副走査方向の上流側の位置から下流側の位置まで所定範囲にわたって対向した、マーク保持部と、
当該マーク保持部に設けられたマークであって、副走査方向に一定の長さを有し、かつ、副走査方向の各位置における主走査方向に沿ったマーク幅が単調変化する形状を有した、マークと、
前記読取位置において前記画像読取ユニットにより読み取られた前記マークの画像から得られるマーク幅に基づいて、前記自動原稿搬送ユニットの副走査方向のずれ量を演算して出力する制御部と、
を備えることを特徴とする画像読取装置。
【請求項２】
前記マーク保持部は、前記画像読取ユニットに設けられたプラテンガラスに原稿を案内するガイド部材であることを特徴とする請求項１に記載の画像読取装置。
【請求項３】
前記マークは、前記マーク保持部の下面にペイントされていることを特徴とする請求項１または２に記載の画像読取装置。
【請求項４】
前記マークは、前記マーク保持部に設けられた貫通穴によって形成されていることを特徴とする請求項１または２に記載の画像読取装置。
【請求項５】
前記画像読取ユニットに表示部が設けられており、
前記制御部は、前記ずれ量を前記表示部に表示することを特徴とする請求項１〜４のいずれか一項に記載の画像読取装置。
【請求項６】
請求項１〜５のいずれか一項に記載の画像読取装置を有することを特徴とする画像形成装置。
【発明の詳細な説明】
【技術分野】
【０００１】
本発明は、原稿の画像を読み取る画像読取ユニットに、自動原稿搬送ユニット（ＡＤＦユニット）によって原稿を搬送して、当該原稿の画像を画像読取ユニットによって読み取る画像読取装置、および、そのような画像読取装置を備える画像形成装置に関する。
【背景技術】
【０００２】
複写機等の画像形成装置では、原稿の画像を読み取る画像読取ユニットに対して原稿を自動搬送する自動原稿搬送ユニット（ＡＤＦユニット）が搭載されることがある。画像読取ユニット上にＡＤＦユニットが設けられた画像読取装置では、通常、画像読取ユニットの上面に、ＡＤＦユニットにて搬送される原稿が通過する帯板状のプラテンガラスが主走査方向に沿って設けられており、プラテンガラス上を副走査方向に沿って搬送される原稿の画像が、画像読取ユニットによって読み取られるようになっている。
【０００３】
図１１は、ＡＤＦユニットおよび画像読取ユニットにおけるプラテンガラスの周辺部分の構成を示す模式的な断面図である。ＡＤＦユニットおよび画像読取ユニットには、原稿Ｄを、画像読取ユニットのプラテンガラス６１へ搬送する第１読取経路６３が設けられている。第１読取経路６３は、プラテンガラス６１における原稿Ｄの搬送方向の上流側に隣接して配置された上流側ガイド部材６３ａと、上流側ガイド部材６３ａの上方に配置された上側ガイド板６３ｂとを有している。上流側ガイド部材６３ａおよび上側ガイド板６３ｂは、ＡＤＦユニットに設けられている。
【０００４】
プラテンガラス６１における原稿Ｄの搬送方向下流側には、下流側ガイド部材６２が設けられている。下流側ガイド部材６２は、プラテンガラス６１とともに、画像読取ユニットに設けられている。下流側ガイド部材６２の上面６２ａは、プラテンガラス６１から離れるにつれて順次上方に位置するように傾斜した状態になっている。下流側ガイド部材６２は、プラテンガラス６１上を通過した原稿Ｄを、下流側ガイド部材６２によって、プラテンガラス６１から離れるにつれて搬送方向下流側の上方に向ってすくい上げる。
【０００５】
第１読取経路６３を構成する上側ガイド板６３ｂは、上流側ガイド部材６３ａ、プラテンガラス６１および下流側ガイド部材６２のそれぞれの上方に、それぞれとは、原稿Ｄが通過する所定の間隔が形成されている。
第１読取経路６３内を搬送される原稿Ｄは、上流側ガイド部材６３ａに案内されて、プラテンガラス６１の上面６１ａ上を、副走査に沿ってほぼ水平状態で通過する。この場合、原稿Ｄは、画像が設けられた面が、プラテンガラス６１の上面６１ａに対向するように搬送される。
【０００６】
第１読取経路６３を通過する原稿Ｄの先端縁は、上流側ガイド部材６３ａに沿って搬送されて、プラテンガラス６１の上面６１ａ上を通過すると、下流側ガイド部材６２の上面６２ａに突き当てられる。その後、原稿Ｄの先端縁は、下流側ガイド部材６２の上面６２ａに沿って斜め上方にすくい上げられる。原稿Ｄの先端縁に連続する後続部分も、同様の経路を通って搬送される。
【０００７】
画像読取ユニットには、プラテンガラス６１の下方に、プラテンガラス６１上を通過する原稿Ｄの画像を読み取る画像読取機構（図示せず）が設けられており、プラテンガラス６１における搬送方向下流側の側縁から、所定の間隔Ｌｇだけ離れた位置が、画像読取機構による画像読取位置Ｇｙになっている。原稿Ｄにおける画像は、プラテンガラス６１における画像読取位置Ｇｙを通過する間に画像読取機構によって読み取られる。
【０００８】
特許文献１には、画像形成装置（画像読取ユニット）に設けられた位置決めピンによってＡＤＦユニットが位置決めされるとともに、位置決めピンと下流側ガイド部材（すくい上げ部材）６２との位置調整が可能な構成が開示されている。このような構成によって、ＡＤＦユニットを画像読取ユニットに対して位置決めピンによって位置決めする際に、画像読取ユニットに設けられた下流側ガイド部材（すくい上げ部材）６２の上面６２ａと、ＡＤＦユニットに設けられた上側ガイド板６３ｂとの間隔が一定になるように、下流側ガイド部材（すくい上げ部材）６２を左右方向に調整することができる。
【０００９】
特許文献２には、下流側ガイド部材６２とともに上流側ガイド部材６３ａも、画像読取ユニットのプラテンガラス６１に対して固定的に設けて、ＡＤＦユニットにおける第１読取経路６３の上側ガイド板６３ｂを、ＡＤＦユニットとともに副走査方向にスライドさせることによって、下流側ガイド部材６２と上側ガイド板６３ｂとが所定の間隔になるように、ＡＤＦユニットを画像読取ユニットに対して位置決めする構成が開示されている。
【先行技術文献】
【特許文献】
【００１０】
【特許文献１】特開２００５−１５６９３９号公報
【特許文献２】特開２００７−６８０２４号公報
【発明の概要】
【発明が解決しようとする課題】
【００１１】
特許文献１に開示された構成では、厚紙等の高剛性の原稿の場合に、図１１に示すように、原稿Ｄの先端縁が下流側ガイド部材６２の上面６２ａに沿って斜め上方にすくい上げられると、プラテンガラス６１上に位置する原稿Ｄの後続部分は、原稿Ｄが高剛性であるために撓み量が小さく、プラテンガラス６１の画像読取位置Ｇｙに密着せず、プラテンガラス６１の上面から上方に離れた状態で通過するおそれがある。
【００１２】
特に、下流側ガイド部材６２が、プラテンガラス６１に近接した位置に調整されると、高剛性の原稿Ｄは、プラテンガラス６１における画像読取位置Ｇｙに密着することが困難になる。
このように、画像読取位置Ｇｙに原稿Ｄが密着しないと、画像読取機構にて読み取られた原稿Ｄの画像は、原稿Ｄの搬送方向とは直交する方向である主走査方向の倍率が一定しないおそれがある。また、画像読取位置Ｇｙを通過する原稿Ｄの速度が一定せず、その結果、読取画像にピッチむらが生じるおそれもある。
【００１３】
下流側ガイド部材（すくい上げ部材）６２をプラテンガラス６１に対して適切な位置になるように調整するためには、下流側ガイド部材６２を位置調整した後に、適切な位置であることを確認するために原稿Ｄの画像の読み取り等を行う必要がある。しかも、下流側ガイド部材６２が適切な位置になるまで、位置調整作業と確認作業とを繰り返す必要があり、その作業が煩わしいという問題がある。
【００１４】
特許文献２に開示された構成では、図１２（ａ）に示すように、ＡＤＦユニットを矢印Ｘ１で示す方向にスライドさせて、第１読取経路６３の上側ガイド板６３ｂと下流側ガイド部材６２とが所定の間隔Ｌａになるように調整すると、上流側ガイド部材６３ａが画像読取ユニットに固定されているために、上側ガイド板６３ｂと上流側ガイド部材６３ａとの間隔Ｌｂが広くなる。
【００１５】
反対に、図１２（ｂ）に示すように、ＡＤＦユニットを矢印Ｘ２で示す方向にスライドさせて、第１読取経路６３の上側ガイド板６３ｂと下流側ガイド部材６２とが所定の間隔Ｌａになるように調整すると、上側ガイド板６３ｂと上流側ガイド部材６３ａの上面との間隔Ｌｂが狭くなる。
このために、ＡＤＦユニットをＸ１方向またはＸ２方向にスライドさせて、上側ガイド板６３ｂと下流側ガイド部材６２との間隔Ｌａと、上側ガイド板６３ｂと上流側ガイド部材６３ａの上面との間隔Ｌｂとの間隔が適切になるように調整するために、ＡＤＦユニットのスライド作業と確認作業とを繰り返す必要があり、その作業が煩わしいという問題がある。
【００１６】
本発明は、このような問題に鑑みてなされたものであり、その目的は、画像読取ユニットに対して自動原稿搬送ユニットを、高精度で容易に位置決めすることができる画像読取装置を提供することにある。本発明の他の目的は、そのような画像読取装置を有する画像形成装置を提供することにある。
【課題を解決するための手段】
【００１７】
上記目的を達成するため、本発明に係る画像読取装置は、自動原稿搬送ユニットの副走査方向の位置が画像読取ユニットに対して調整可能になった画像読取装置であって、前記自動原稿搬送ユニットに設けられたマーク保持部であって、前記画像読取ユニットにおける読取位置に対して副走査方向の上流側の位置から下流側の位置まで所定範囲にわたって対向した、マーク保持部と、当該マーク保持部に設けられたマークであって、副走査方向に一定の長さを有し、かつ、副走査方向の各位置における主走査方向に沿ったマーク幅が単調変化する形状を有した、マークと、前記読取位置において前記画像読取ユニットにより読み取られた前記マークの画像から得られるマーク幅に基づいて、前記自動原稿搬送ユニットの副走査方向のずれ量を演算して出力する制御部と、を備えることを特徴とする。
【００１８】
また、本発明に係る画像形成装置は、前記画像読取装置が設けられていることを特徴とする。
【発明の効果】
【００１９】
本発明の画像読取装置では、自動原稿搬送ユニットに設けられたマークを、読取位置において画像読取ユニットによって読み取らせて、その画像に基づいて、自動原稿搬送ユニットの副走査方向のずれ量が演算されて出力されるために、出力されたずれ量に基づいて、画像読取ユニットに対して自動原稿搬送ユニットの副走査方向の位置を調整すればよく、その調整のための作業性が著しく向上する。
【００２０】
好ましくは、前記マーク保持部は、前記画像読取ユニットに設けられたプラテンガラスに原稿を案内するガイド部材であることを特徴とする。
好ましくは、前記マークは、前記マーク保持部の下面にペイントされていることを特徴とする。
好ましくは、前記マークは、前記マーク保持部に設けられた貫通穴によって形成されていることを特徴とする。
【００２１】
好ましくは、前記画像読取ユニットに表示部が設けられており、前記制御部は、前記ずれ量を前記表示部に表示することを特徴とする。
【図面の簡単な説明】
【００２２】
【図１】本発明の実施形態に係る画像形成装置の一例であるＭＦＰ装置を示す斜視図である。
【図２】そのＭＦＰ装置に設けられた画像読取装置において、画像読取ユニットに対してＡＤＦユニットを支持する支持機構の構成を示す断面図である。
【図３】その画像読取装置の構成を説明するための断面模式図である。
【図４】その画像読取装置におけるＡＤＦユニットの主要部の断面模式図である。
【図５】そのＡＤＦユニットにおける下面に設けられた位置調整マークを説明するためのＡＤＦユニットを下面から見た斜視図である。
【図６】そのＡＤＦユニットにおける下面に設けられた位置調整マークの構成を説明するための模式図である。
【図７】そのＡＤＦユニットに設けられた制御系における位置調整制御を実行する主要部のブロック図である。
【図８】その制御系の制御部によって実行される位置調整制御の流れを示すフローチャートである。
【図９】画像読取ユニットに対してＡＤＦユニットを支持する支持機構の他の例を示す正面断面図である。
【図１０】ＡＤＦユニットの下面に設けられた位置調整マークの他の例を説明するためのＡＤＦユニットの下面から見た斜視図である。
【図１１】従来の画像読取装置の主要部の構成を説明するための断面図である。
【図１２】（ａ）および（ｂ）のそれぞれは、従来の画像読取装置の主要部の動作を説明するための断面図である。
【発明を実施するための形態】
【００２３】
＜画像形成装置の構成＞
図１は、本発明の実施の形態に係る多機能複写機であるＭＦＰ装置の構成を示す概略図である。図１に示すように、ＭＦＰ装置は、記録用紙等の記録シート上にトナー画像を形成する画像形成装置本体Ａと、画像形成装置本体Ａ上に設けられた本発明の実施形態に係る画像読取装置Ｂとを備えている。
【００２４】
画像読取装置Ｂは、原稿画像を読み取る画像読取ユニット１０と、画像読取ユニット１０上に設けられたＡＤＦ（自動原稿給紙）ユニット２０と、画像読取ユニット１０における正面側の前面板に取り付けられた操作パネル３０とを有している。操作パネル３０は、各種情報が入力される入力操作部３１と、入力された情報の内容、装置の稼働状況等を表示する表示部３２とが一体的に構成されている。
【００２５】
画像読取装置Ｂを構成するＡＤＦユニット２０は、画像読取ユニット１０に対して、正面側部分が上下方向に開閉可能に取り付けられている。ＡＤＦユニット２０は、画像読取ユニット１０の上面を閉鎖した状態で、画像を読み取るための原稿を画像読取ユニット１０の上面に自動的に搬送する。画像読取ユニット１０は、ＡＤＦユニット２０によって搬送される原稿の画像、または、画像読取ユニット１０上の所定位置に操作者によって手置きセットされた原稿の画像を光学的に読み取ることによって画像データを生成する。
【００２６】
画像形成装置本体Ａには、プリンタ部７１と、プリンタ部７１の下側に設けられた給紙部７２とが設けられており、給紙部５０に収容された記録シートがプリンタ部７１に供給される。プリンタ部７１では、画像読取ユニット１０にて生成された画像データ、あるいは、ネットワークを介して端末装置等から送られる画像データに基づいて、周知の電子写真方式によって、記録シート上にカラーのトナー画像をプリントする。プリンタ部７１によってトナー画像がプリントされた記録シートは、画像読取ユニット１０の下側に設けられた排紙トレイ７３上に排出される。
【００２７】
ＡＤＦユニット２０は、画像読取ユニット１０に対して、正面側の側部が上下方向に回動可能であって、左右方向（ＭＦＰ装置の前後方向（主走査方向）とは直交する方向（副走査方向）、以下、ＭＦＰ装置の正面に向って右側を単に「右側」とし、反対側を「左側」とする）にスライド調整可能に取り付けられている。ＡＤＦユニット２０は、画像読取装置Ｂの位置決めに際して、作業員によって、画像読取ユニット１０に対する副走査方向（左右方向）の位置が調整される。
【００２８】
ＡＤＦユニット２０の背面部分は、画像読取ユニット１０に対して、左右一対の支持機構によって、上下方向への回動可能および左右方向へのスライド可能に連結されている。図２は、左側に位置する支持機構４０の構成を示す断面図である。この支持機構４０は、画像読取ユニット１０における背面側の側縁部に取り付けられた読取側ブラケット４１と、ＡＤＦユニット２０に取り付けられたＡＤＦ側ブラケット４２とを有するヒンジ機構になっている。
【００２９】
読取側ブラケット４１は、画像読取ユニット１０の上面に取り付けられた底板部４１ａと、底板部４１ａの左右両側の側縁部からそれぞれ上方に向って延出した左右の側板部４１ｂおよび４１ｃとを有しており、上方に向って開口するチャネル形状（「コ」字状）になっている。
ＡＤＦユニット２０は、読取側ブラケット４１に対向する背面側部分に、当該読取側ブラケット４１を収容する凹部２９が形成されており、この凹部２９内にＡＤＦ側ブラケット４２が取り付けられている。ＡＤＦ側ブラケット４２は、凹部２９内における奥側の上面に取り付けられた上面部４２ａと、上面部４２ａの左右両側の側縁部からそれぞれ下方に向って延出した左右の側板部４２ｂおよび４２ｃとを有しており、下方に向って開口するチャネル形状（「コ」字状）になっている。
【００３０】
読取側ブラケット４１における左右の各側板部４１ｂおよび４１ｃには、左右方向に沿って水平状態に配置された支持軸４３の各端部がそれぞれ回転可能に支持されている。支持軸４３には、ＡＤＦ側ブラケット４２における右側の側板４２ｃが読取側ブラケット４１における左右の両側板４１ｂおよび４１ｃの間においてスライド可能に支持されている。支持軸４３における左側の端部は、読取側ブラケット４１における左側の側板４１ｂから左側の外側に突出している。
【００３１】
左側の側板４１ｂから外側に突出した支持軸４３の端部には、ねじ部材４４が取り付けられている。ねじ部材４４は、支持軸４３と同軸状態で一体的に固定されている。ねじ部材４４は、ＡＤＦ側ブラケット４２における左側の側板４２ｂにネジ結合されている。
従って、ねじ部材４４を所定方向に回転操作することによって、ＡＤＦ側ブラケット４２は、図２に矢印Ｘ１で示す右側方向にネジ送りされる。これにより、ＡＤＦ側ブラケット４２と一体になったＡＤＦユニット２０全体がＸ１方向にスライドする。ねじ部材４４を反対方向に回転操作すると、ＡＤＦ側ブラケット４２は、図２に矢印Ｘ２で示す左側方向にネジ送りされて、ＡＤＦユニット２０全体がＸ２方向にスライドする。
【００３２】
また、ＡＤＦユニット２０の正面側部分が上方に回動されると、ＡＤＦ側ブラケット４２は、ＡＤＦユニット２０とともに、支持軸４３を中心として一体的に上方に回動される。この場合、ＡＤＦ側ブラケット４２にネジ結合されたねじ部材４４が左側の側板４１ｂと一体となっているために、左側の側板４１ｂに対して回転されず、ＡＤＦ側ブラケット４２はスライドしない。
【００３３】
なお、ＡＤＦユニット２０の背面部分における右側に位置する他方の支持機構は、上述の支持機構４０とは、支持軸４３にねじ部材４４が設けられていないこと以外は、同様の構成になっている。従って、他方の支持機構は、ＡＤＦユニット２０を、画像読取ユニット１０に対して、上下方向に回動可能、かつ、左右方向に位置決めされることなくスライド可能に支持している。
【００３４】
＜画像読取装置の構成＞
図３は、ＭＦＰ装置に設けられた画像読取装置Ｂの構成を説明するための断面模式図である。画像読取ユニット１０の上面には、ＡＤＦユニット２０にて搬送される原稿が上方を通過するように、画像読取ユニット１０の左側の側部に第１プラテンガラス１３が設けられている。第１プラテンガラス１３の右側の側方には、第１プラテンガラス１３とは適当な間隔をあけて、原稿が載置される第２プラテンガラス１６が設けられている。第２プラテンガラス１６は、画像形成装置本体Ａの左側の側部を除く画像読取ユニット１０の上面のほぼ全域を覆う長方形状になっている。
【００３５】
図４は、画像読取装置Ｂにおける第１プラテンガラス１３およびその周辺部分の構成を説明するための断面模式図である。第１プラテンガラス１３は、画像形成装置本体Ａの左右方向（副走査方向）とは直交する方向（主走査方向）に長く延びる帯板状になっており、第１プラテンガラス１３上を、ＡＤＦユニット２０にて搬送される原稿が副走査方向（図３の矢印Ｘ１で示す方向）に沿って通過するようになっている。
【００３６】
図３に示すように、画像読取ユニット１０に設けられた第１プラテンガラス１３の下方には光源１１が設けられている。光源１１は、主走査方向に沿って長く延びる第１スライダー１８に搭載されている。第１スライダー１８は、第１プラテンガラス１３の下方を副走査方向（図３に矢印Ｘ１およびＸ２で示す方向）にスライド可能であり、また、第２プラテンガラス１６の下面に沿って、図３に矢印Ｘ１で示す方向および反対方向であるＸ２で示す方向にスライドするように構成されている。
【００３７】
第１スライダー１８は、ＡＤＦユニット２０によって第１プラテンガラス１３へ搬送される原稿を読み取る場合には、光源１１が、第１プラテンガラス１３の下方における所定の原稿読取位置Ｇｙ（図４参照）に位置するように読取モータ５２によって移動されて停止される。また、第２プラテンガラス１６上に載置された原稿の画像を読み取る場合には、第１スライダー１８が、読取モータ５２によって、第２プラテンガラス１６の下面に沿って矢印Ｘ１で示す方向にスライドされる。
【００３８】
光源１１は、第１プラテンガラス１３の下方において、第１プラテンガラス１３における原稿読取位置Ｇｙ上を通過する原稿の画像を読み取る場合には、第１プラテンガラス１３の下方の所定の位置にまで移動されて点灯状態とされる。また、第２プラテンガラス１６上に載置された原稿の画像を読み取る場合には、第２プラテンガラス１６の下面に沿ってＸ１方向に移動され、その移動の間は点灯状態とされる。
【００３９】
光源１１としては、通常、キセノンランプのような希ガス蛍光灯、外面電極蛍光灯、ＬＥＤ等が使用される。
第１スライダー１８には、光源１１から照射されて原稿にて反射された光を、矢印Ｘ１で示す方向とは反対方向（矢印Ｘ２で示す方向）に略直角に反射する第１ミラー１５ｂが搭載されている。
【００４０】
第１スライダー１８に対して左側（矢印Ｘ２方向側）の側方には、第２スライダー１９が配置されている。第２スライダー１９には、第１ミラー１５ｂにて反射された光を、矢印Ｘ１方向に反転させる一対の第２ミラー１５ｃおよび第３ミラー１５ｄが搭載されている。第２スライダー１９は、第１スライダー１８と同方向に、第１スライダー１８のスライド速度の１／２の速度でスライドするように構成されている。
【００４１】
画像読取ユニット１０の内部における右側（矢印Ｘ１方向側）の側部には、第３ミラー１５ｄにて反射された光が、縮小レンズ１５ｅを介して照射されるラインセンサー１２が設けられている。このラインセンサー１２は、主走査方向に沿って配列された複数の光電変換素子を有するＣＣＤ（Charge Coupled Device）が基板上に実装された構成になっている。ラインセンサー１２は、主走査方向に沿った光源１１から照射されて原稿にて反射された光が、第１ミラー１５ｂ、第２ミラー１５ｃ、第３ミラー１５ｄによって順次反射されて、縮小レンズ１５ｅを介して投影される。
【００４２】
画像読取ユニット１０上に設けられたＡＤＦユニット２０は、正面側部分が下方に回動された状態では、画像読取ユニット１０の上面を全体にわたって覆った状態になる。反対に、ＡＤＦユニット２０は、正面側部分が上方に回動されると、画像読取ユニット１０の上面が開放されて、画像読取ユニット１０のプラテンガラス１８上に原稿を載置することが可能になる。
【００４３】
また、後述するように、ＡＤＦユニット２０を位置決めするために、画像読取ユニット１０に対するＡＤＦユニット２０の左右方向（副走査方向）位置を調整する際には、第１スライダー１８は、第１プラテンガラス１３における左側の側部において設定されたマーク読取位置Ｍｙ（図４参照）の下方にまでスライドされて、停止されるようになっている。このマーク読取位置Ｍｙの下方において第１スライダー１８が停止されて光源１１が点灯状態になると、ラインセンサー１２は、マーク読取位置Ｍｙ上に位置する画像を主走査方向に沿って読み取ることになる。
【００４４】
図３に示すように、ＡＤＦユニット２０は、左側の側部において、内部を原稿が搬送されるように設けられたＡＤＦユニット本体２１と、ＡＤＦユニット本体２１の上部から右斜め上方に延出した原稿給紙トレイ２２とを有している。原稿給紙トレイ２２上に載置された原稿Ｄは、原稿給紙トレイ２２上を左側方向へと搬送されて、ＡＤＦユニット本体２１の内部に供給される。ＡＤＦユニット本体２１の下部における右側の側部は、ＡＤＦユニット本体２１にて搬送された原稿が載置される原稿排紙トレイ２１ｙになっている。
【００４５】
ＡＤＦユニット本体２１の内部には、原稿給紙トレイ２２に載置された原稿を、ＡＤＦユニット本体２１の内部に供給する送り出しローラ２１ａが設けられている。
原稿給紙トレイ２２上の原稿は、送り出しローラ２１ａによって、ＡＤＦユニット本体２１の内部に設けられた上下一対のさばきローラ２１ｂへと送り出される。さばきローラ２１ｂは、送り出しローラ２１ａによって原稿給紙トレイ２２から送り出された最上側の１枚の原稿のみを、ＡＤＦユニット本体２１の内部に概略水平状態で設けられた導入経路２１ｒに供給する。
【００４６】
導入経路２１ｒ内に搬送された原稿は、導入経路２１ｒを通って、これよりも下流側に位置する中間ローラ２１ｃにまで案内される。中間ローラ２１ｃは、導入経路２１ｒに連続して概略水平状態に設けられた搬入経路２１ｄへと原稿を搬送する。搬入経路２１ｄは、ＡＤＦユニット本体２１内における左側上部に設けられた一対のレジストローラ２１ｊにまで原稿を案内する。
【００４７】
搬入経路２１ｄを搬送される原稿は、回転停止状態になったレジストローラ２１ｊによってスキュー補正された後に、連結経路２１ｅへ供給される。
連結経路２１ｅは、レジストローラ２１ｊよりも下流側に配置された一対の第１読取搬送ローラ２１ｆにまで原稿を案内する。連結経路２１ｅは、レジストローラ２１ｊと第１読取搬送ローラ２１ｆとの間にて左側に突出するように半円周形状に湾曲している。連結経路２１ｅにて第１読取搬送ローラ２１ｆに案内された原稿は、第１読取経路２１ｍに供給される。
【００４８】
図４に示すように、第１読取経路２１ｍは、画像読取ユニット１０の上面に設けられた第１プラテンガラス１３の上方を通過しており、第１プラテンガラス１３の右側の側方に設けられた一対の第２読取搬送ローラ２１ｇにまで原稿を案内する。
第１プラテンガラス１３の搬送方向上流側には、第１読取経路２１ｍにおける下側部分を構成する上流側ガイド部材２１ｐがＡＤＦユニット本体２１と一体に設けられている。また、第１プラテンガラス１３の搬送方向下流側には、画像読取ユニット１０に設けられた下流側ガイド部材２１ｘが配置されている。下流側ガイド部材２１ｘは、第１プラテンガラス１３に隣接して配置されている。
【００４９】
上流側ガイド部材２１ｐは、ＡＤＦユニット本体２１のハウジングを構成する樹脂によって、ハウジングと一体的に成型されている。上流側ガイド部材２１ｐは、第１プラテンガラス１３の上面に接する原稿の下側の第１面を案内する上面が、搬送方向の下流側になるにつれて順次下側に位置するように傾斜しており、搬送方向の下流側の側縁部が、第１プラテンガラス１３の上面における搬送方向上流側の側部上に位置している。
【００５０】
下流側ガイド部材２１ｘの上面は、搬送方向下流側になるにつれて順次上側に位置するように傾斜しており、第１プラテンガラス１３上を通過した原稿は、下流側ガイド部材２１ｘによって、搬送方向下流側上方に位置する第２読取搬送ローラ２１ｇに案内される。
上流側ガイド部材２１ｐ、第１プラテンガラス１３、下流側ガイド部材２１ｘのそれぞれの上方には、第１読取経路２１ｍにおける上側部分を構成する上側ガイド板２１ｑが設けられている。上側ガイド板２１ｑは、第１読取搬送ローラ２１ｆの搬送方向下流側から、上流側ガイド部材２１ｐ、第１プラテンガラス１３、下流側ガイド部材２１ｘのそれぞれとは、原稿が通過することができる所定の間隔をあけて配置されている。上流側ガイド部材２１ｐおよび上側ガイド板２１ｑは、ＡＤＦユニット本体２１に一体的に設けられており、従って、両者の間隔は一定になっている。
【００５１】
第１プラテンガラス１３の上面（画像読取面）は、第１読取経路２１ｍにおける原稿搬送域に臨んだ状態になっている。第１読取経路２１ｍ内を搬送される原稿は、第１プラテンガラス１３の上面を通過する際には、画像読取ユニット１０に設けられた第１スライダー１８が、第１プラテンガラス１３の原稿読取位置Ｇｙの下方にまで移動されて、光源１１が点灯状態とされる。これにより、第１プラテンガラス１３に対向する下側の第１面の画像がラインセンサー１２によって読み取られる。
【００５２】
第１読取経路２１ｍを通過した原稿は、下流側ガイド部材２１ｘにて案内されて第２読取搬送ローラ２１ｇにまで搬送され、第２読取搬送ローラ２１ｇによって、第２読取経路２１ｎを通って、第３読取搬送ローラ２１ｈへと搬送される。第２読取経路２１ｎにおける中程の上方には、第２読取経路２１ｎに沿って搬送される原稿の裏面（上側）の画像を読み取る裏面読取ユニット２３が設けられている。
【００５３】
裏面読取ユニット２３は、第２読取経路２１ｎを通過する原稿の上方に向けられた第２面に光を照射する一対の線状光源と、原稿の第２面にて反射された各線状光源からの光を受光する密着型ラインセンサー（ＣＩＳ：Contact Image Sensor）とを備えている。
裏面読取ユニット２３は、各線状光源および密着型ラインセンサーが、原稿の搬送方向と直交する主走査方向に沿った状態で、各線状光源から照射される光が、第２読取経路２１ｎに対向する平坦な裏面読取面２３ａから照射される。裏面読取面２３ａは、第２読取経路２１ｎにおける原稿の搬送域に臨んだ状態になっている。裏面読取面２３ａから照射される光は、第２読取経路２１ｎを通過する原稿の第２面にて反射されて、読取面２３ａを介して密着型ラインセンサーにて受光されるようになっている。
【００５４】
第２読取経路２１ｎを通過した原稿は、第３読取搬送ローラ２１ｈによって、排出経路２１ｔに供給される。排出経路２１ｔは、第３読取経路２１ｎから右側の側方に略水平状態に延出している。排出経路２１ｔは、原稿給紙トレイ２２における左側の側部の下方に配置された一対の排紙ローラ２１ｗにまで原稿を案内する。排出経路２１ｔを搬送される原稿は、排紙ローラ２１ｗによって排紙トレイ２１ｙ上に排出される。
【００５５】
図５は、ＡＤＦユニット２０を下方から見た斜視図である。第１プラテンガラス１３の搬送方向上流側に設けられた上流側ガイド部材２１ｐは、ＡＤＦユニット本体２１のハウジングと一体的に成型されていることによって、その下面が、画像読取ユニット１０に対向するように露出している。上流側ガイド部材２１ｐの下面は、光を反射するように白色になっている。上流側ガイド部材２１ｐの下面における搬送方向下流側の側部は、ＡＤＦユニット２０が下方に回動されて画像読取ユニット１０の上面を覆った状態になると、第１プラテンガラス１３において設定されたマーク読取位置Ｍｙ上に位置するように、マーク読取位置Ｍｙの上流側の位置から下流側の位置まで所定の範囲にわたる長さを有している。
【００５６】
マーク読取位置Ｍｙ上に位置される上流側ガイド部材２１ｐの側部下面には、ＡＤＦユニット２０における副走査方向の基準位置を示す位置調整マーク２１ｚが設けられている。位置調整マーク２１ｚは、第１読取経路２１ｍにおける原稿搬送領域の主走査方向の中央に対応して設けられており、例えば、黒色のインク等によって、Ｘ１方向に向って突出した正三角形状にペイントされている。従って、上流側ガイド部材２１ｐの側部下面は、マーク保持部になっている。
【００５７】
位置調整マーク２１ｚは、画像読取装置Ｂの初期設定において、画像読取ユニット１０に対してＡＤＦユニット２０を副走査方向に対して位置決めする際に、ラインセンサー１２にて読み取られようになっている。そして、ラインセンサー１２にて読み取られた位置調整マーク２１ｚの画像データに基づいて、画像読取ユニット１０に対するＡＤＦユニット２０の副走査方向の位置ずれ量が算出される。
【００５８】
図６は、位置調整マーク２１ｚの形状を説明するための模式図である。この位置調整マーク２１ｚは、全体が黒色の正三角形状になっている。なお、図６においては、位置調整マーク２１ｚの具体的な構成についての理解を容易にするために、輪郭だけを示している。
位置調整マーク２１ｚの一辺２１ｚａは、副走査方向とは直交する主走査方向に沿った状態になっており、この一辺２１ｚａに対してＸ１方向側（右側）に一つの頂点が位置している。この頂点は、主走査方向に沿った一辺２１ｚａの垂直二等分線上に位置している。従って、この垂直二等分線は、副走査方向に沿っている。
【００５９】
このような位置調整マーク２１ｚは、マーク読取位置Ｍｙにおける副走査方向の上流側から下流側にかけて、副走査方向に沿って、所定の長さＬｘで形成されている。また、位置調整マーク２１ｚは、副走査方向の各位置における主走査方向に沿った長さであるマーク幅が、主走査方向に沿った一辺２１ｚａからＸ１方向側に離れるにつれて単調に減少している。
【００６０】
位置調整マーク２１ｚの内部には、副走査方向に沿った垂直二等分線上に、ＡＤＦユニット２０を副走査方向に位置決めする際の基準となる基準位置Ｏｘが設定されている。この基準位置Ｏｘは、第１プラテンガラス１３のマーク読取位置Ｍｙに対して上下方向に一致した状態になることにより、ＡＤＦユニット２０が、画像読取ユニット１０に対して副走査方向に位置ずれしていない最適な状態になるように、予め設定されている。
【００６１】
基準位置Ｏｘは、例えば、位置調整マーク２１ｚにおける主走査方向に沿った一辺２１ｚａに対して、Ｘ１方向側に位置する頂点までの距離Ｌｘの１／２の距離（Ｌｘ／２）の位置に設定されている。従って、基準位置Ｏｘが、第１プラテンガラス１３のマーク読取位置Ｍｙの上方に位置した状態では、主走査方向に沿った長さであるマーク幅は、位置調整マーク２１ｚの一辺２１ｚａの長さＬｏの１／２（＝Ｌｏ／２）になる。
【００６２】
図７は、画像読取装置Ｂの初期設定において、ＡＤＦユニット２０を副走査方向に位置決めするために必要とされるＡＤＦユニット２０の副走査方向の位置ずれ量を算出する制御（位置ずれ量算出制御）を実行する制御系の構成を示すブロック図である。ＡＤＦユニット２０の位置ずれ量算出制御は、画像読取装置Ｂの画像読取ユニット１０に設けられた制御部５１によって実行される。
【００６３】
制御部５１には、操作パネル３０の入力操作部３１（図１参照）に設けられた位置調整モードスイッチ３１ａの出力が与えられている。位置調整モードスイッチ３１ａは、ＡＤＦユニット２０を位置決めする際に作業員によって操作されるようになっており、この位置調整スイッチ３１ａがオンされると、制御部５１は、画像読取ユニット１０に対するＡＤＦユニット２０の副走査方向の位置ずれ量を算出して出力する制御を実行する位置調整モードになる。
【００６４】
制御部５１は、位置調整モード時に、画像読取ユニット１０の第１スライダー１８をスライドさせる読取モータ５２の駆動を制御して、第１スライダー１８を、第１プラテンガラス１３の下方の所定位置であるマーク読取位置Ｍｙにまで移動させる。なお、第１スライダー１８が移動することにより、第１スライダー１８に追従して第２スライダー１９も移動することになる。
【００６５】
また、制御部５１は、位置調整モード時に、マーク読取位置Ｍｙにまで第１スライダー１８を移動させた状態で、マーク読取位置Ｍｙの上方に位置する位置調整マーク２１ｚの主走査方向に沿った画像を読み取るために光源１１を点灯させとともに、そのときのラインセンサー１２の出力を読み込む。制御部５１は、読み込まれたラインセンサー１２の出力に基づいて、ＡＤＦユニット２０を画像読取ユニット１０に対して副走査方向に位置決めするための位置ずれ量を演算する。
【００６６】
さらに、制御部５１は、位置調整モード時に、画像読取ユニット１０に取り付けられた操作パネル３０の表示部３２を制御して、ラインセンサー１２の出力に基づいて演算されたＡＤＦユニット２０の位置決めに必要な位置ずれ量を、画像読取ユニット１０に対するＡＤＦユニット２０のずれの方向とともに、表示部３２に表示する。
図８は、制御部５１において位置調整モード時に実行される制御の流れを説明するフローチャートである。ＡＤＦユニット２０の位置決めに際して、作業員の操作によって、操作パネル３０の入力操作部３１に設けられた位置調整モードスイッチ３１ａがオン状態になると、制御部５１は、ＡＤＦユニット２０の位置調整モードとなり、画像読取ユニット１０に対するＡＤＦユニット２０の副走査方向の位置ずれ量を算出する制御を開始する。
【００６７】
なお、この場合には、ＡＤＦユニット２０は、画像読取ユニット１０に対して精密に位置決めされていない状態で、画像読取ユニット１０の上面を覆うように下方に回動されている。このような状態では、第１プラテンガラス１３におけるマーク読取位置Ｍｙの上方に、位置調整マーク２１ｚが位置している。
位置調整モードにおいて、制御部５１は、まず、読取モータ５２を逆転駆動して、第１スライダー１８を、Ｘ２方向にスライドさせ、第１プラテンガラス１３のマーク読取位置Ｍｙの下方に位置させる（図８のステップＳ１１参照）。なお、読取モータ５２が逆転駆動されることにより、第２スライダー１９も、第１スライダー１８と同方向に、第１スライダー１８のスライド距離の１／２だけスライドする。
【００６８】
第１スライダー１８が、マーク読取位置Ｍｙの下方に位置されると、制御部５１は、第１スライダー１８に設けられた光源１１を点灯して（ステップＳ１２）、第１プラテンガラス１３におけるマーク読取位置Ｍｙに向けて光を照射する。第１プラテンガラス１３におけるマーク読取位置Ｍｙには、上流側ガイド部材２１ｐの下面に設けられた位置調整マーク２１ｚが対向しており、第１スライダー１８の光源１１から照射される主走査方向に沿った光は、位置調整マーク２１ｚを含む上流側ガイド部材２１ｐの下面を照射する。
【００６９】
光源１１から照射される光は、黒色の位置調整マーク２１ｚ以外の上流側ガイド部材２１ｐの下面にて反射されて、その反射光が、第１ミラー１５ｂと、第２スライダー１９に設けられた第２ミラー１５ｃおよび第３ミラー１５ｄとによって反射されて、縮小レンズ１５ｅを介して、ラインセンサー１２に投射される。
ラインセンサー１２は、位置調整マーク２１ｚを含む上流側ガイド部材２１ｐの下面からの反射光を受光して、受光量に対応した電気信号を制御部５１に出力する。制御部５１は、ラインセンサー１２からの出力された電気信号を読み込んで（ステップＳ１３）、黒色の位置調整マーク２１ｚにおける主走査方向に沿ったマーク読取位置Ｍｙ上に位置する主走査方向に沿った部分を抽出するために、ラインセンサー１２からの電気信号を、所定の閾値を基準として２値化処理する（ステップＳ１４）。
【００７０】
次いで、制御部５１は、読み込まれたラインセンサー１２からの出力の２値化処理に基づいて、黒色の位置調整マーク２１ｚにおけるマーク読取位置Ｍｙ上の主走査方向に沿った部分を抽出して、その部分の長さであるマーク幅Ｌｍを演算する（ステップＳ１５）。そして、演算されたマーク幅Ｌｍを、基準位置Ｏｘでの位置調整マーク２１ｚにおける主走査方向に沿った長さＬｏ／２との差分Ｌｙ（＝Ｌｍ−Ｌ０／２）を算出する（ステップＳ１６）。
【００７１】
差分Ｌｙが算出されると、制御部５１は、算出された差分Ｌｙの値が「０」になっているかを判断する（ステップＳ１７）。なお、この場合、差分Ｌｙは、厳密に「０」になっている必要はなく、「０」とみなしても問題がないような適当な値であればよい。
差分Ｌｙの値が「０」になっている場合には（ステップＳ１７において「ＹＥＳ」）、制御部５１は、操作パネル３０の表示部３２に、ＡＤＦユニット２０の調整方向については表示することなく（非表示状態）、調整量として調整が不要であることを示す「０」を表示する（ステップＳ１８）。
【００７２】
差分Ｌｙの値が「０」ではなく（ステップＳ１７において「ＮＯ」）、Ｌｙ＞０になっている場合には（ステップＳ１９において「ＹＥＳ」）、位置調整マーク２１ｚの基準位置Ｏｘが、第１プラテンガラス１３に設定されたマーク読取位置Ｍｙに対してＸ１方向（右側方向）に位置していることから、操作パネル３０の表示部３２に、ＡＤＦユニット２０の調整方向としてＸ２方向を示す矢印を表示するとともに、調整量としてとして、演算された差分Ｌｙの値を表示する（ステップＳ２０）。
【００７３】
差分Ｌｙの値が「０」ではなく（ステップＳ１７において「ＮＯ」）、Ｌｙ＞０になっていない場合（Ｌｙ＜０）には（ステップＳ１９において「ＮＯ」）、位置調整マーク２１ｚの基準位置Ｏｘが、第１プラテンガラス１３に設定されたマーク読取位置Ｍｙに対してＸ２方向（左側方向）に位置していることから、操作パネル３０の表示部３２に、ＡＤＦユニット２０の調整方向としてＸ１方向を示す矢印を表示するとともに、調整量として、演算された差分Ｌｙの値を表示する（ステップＳ２１）。
【００７４】
このようにして、操作パネル３０の表示部３２に、ＡＤＦユニット２０の調整方向および調整量に関する情報が表示されると、作業員は、この表示に基づいて、画像読取ユニット１０に対してＡＤＦユニット２０を調整するために、支持機構４０のねじ部材４４を所定方向に回転操作する。この場合、表示部３２に調整量として「０」が表示された場合には、ＡＤＦユニット２０を移動させる必要がないために、ねじ部材４４を回転操作する必要はない。
【００７５】
ＡＤＦユニット２０の調整方向としてＸ２方向またはＸ１方向を示す矢印が表示されるとともに調整量として「Ｌｙ」が表示されると、作業員は、ＡＤＦユニット２０がＸ２方向またはＸ１方向に、調整量「Ｌｙ」だけ移動するように、支持機構４０のねじ部材４４を所定方向に回転操作する。これにより、位置調整マーク２１ｚの基準位置Ｏｘが第１プラテンガラス１３に設定されたマーク読取位置Ｍｙ上に位置した状態になり、ＡＤＦユニット２０は、画像読取ユニット１０に対して予め設定された最適状態に位置決めされる。
【００７６】
このように、作業員は、表示部３２に表示された調整方向と調整量とに基づいて、支持機構４０のねじ部材４４を操作すればよいために、作業性が著しく向上する。しかも、作業員が、表示部３２に表示された調整量だけＡＤＦユニット２０を調整することにより、ＡＤＦユニット２０は、画像読取ユニット１０に対して精度よく位置決めされる。その結果、ＡＤＦユニット２０にて搬送される原稿の画像を、画像読取ユニット１０によって高精度で読み取ることができる。
【００７７】
＜変形例＞
（１）なお、画像読取ユニット１０に対してＡＤＦユニット２０を支持して位置決めする支持機構４０としては、図２に示す構成に限らず、図９に示すような構成であってもよい。図９に示す支持機構４０では、ＡＤＦユニット２０における背面側の側縁部に形成された凹部２９内にＡＤＦ側ブラケット４２が取り付けられている。ＡＤＦ側ブラケット４２は、左右の各側板が、下方に向って開口するチャネル形状（「コ」字状）になっている。各側板には、水平状態に配置された支持軸４３の各端部がそれぞれ回転可能に支持されている。支持軸４３は、ＡＤＦ側ブラケット４２内に挿入された支持ピン４５の上端部を水平方向に貫通している。
【００７８】
画像読取ユニット１０における背面側の側縁部には、ＡＤＦ側ブラケット４２に対向して凹部１０ａが形成されており、この凹部１０ａ内に支持ピン４５が挿入されている。凹部１０ａにおける左側に位置する側壁１０ｂに、調整ネジ４６が水平状態でネジ結合している。調整ネジ４６の先端部は、凹部１０ａ内に挿入された支持ピン４５に当接した状態になっている。
【００７９】
凹部１０ａにおける右側に位置する側壁１０ｃには、板バネ４７が設けられている。板バネ４７は、凹部１０ａ内に挿入された支持ピン４５に当接して、支持ピン４５を調整ネジ４６の先端に向けて付勢している。
このような構成の支持機構４０では、凹部１０ａ内に挿入された支持ピン４５は、調整ネジ４６の先端に圧接された状態で、板バネ４７によって、調整ネジ４６の先端部に向けて付勢されている。
【００８０】
調整ネジ４６を所定方向に回転操作すると、調整ネジ４６は、板バネ４７の付勢力とは反対方向にネジ送りされ、支持ピン４５は板バネ４７の付勢力に抗して、右側方向に平行移動される。これにより、ＡＤＦユニット２０全体が、画像読取ユニット１０に対して右側方向にスライドする。
調整ネジ４６を反対方向に回転操作すると、調整ネジ４６は、板バネ４７の付勢力と同方向にネジ送りされ、支持ピン４５は、板バネ４７の付勢力によって、左側方向に平行移動される。これにより、ＡＤＦユニット２０全体が、画像読取ユニット１０に対して左側方向にスライドする。
【００８１】
（２）また、上流側ガイド部材２１ｐにおける下面に設けられた位置調整マーク２１ｚは、黒色のインク等によって正三角形状にペイントする構成に限らず、正三角形状の貫通穴によって構成してもよい。また、図１０に示すように、正三角形状の位置調整マーク２１ｚを、上流側ガイド部材２１ｐにおける下面と一体に形成してもよい。この場合、位置調整マーク２１ｚは、上流側ガイド部材２１ｐの下面における右側の側縁部に、右側に突出した状態で形成される。
【００８２】
この場合、位置調整マーク２１ｚの外形が容易に判別できるように、位置調整マーク２１ｚと、上流側ガイド部材２１ｐとの色の濃淡の組み合わせが設定される。例えば、位置調整マーク２１ｚは黒色のような濃い色で形成され、上流側ガイド部材２１ｐは白色のような淡い色で形成される。
いずれの場合にも、上流側ガイド部材２１ｐが、ＡＤＦユニット本体２１のハウジングと一体的に構成されており、従って、上流側ガイド部材２１ｐの下面のマーク保持部がＡＤＦユニット本体２１のハウジングと一体になっていることによって、マーク保持部に形成される位置調整マーク２１ｚを、第１プラテンガラス１３のマーク読取位置Ｍｙに対して高精度で、所定の位置に形成することができる。
【００８３】
従って、ＡＤＦユニット２０を画像読取ユニット１０に取り付ける場合に、この位置調整マーク２１ｚの形状を利用することにより、画像読取ユニット１０に対するＡＤＦユニット２０の位置精度を向上させることができる。
特に、位置調整マーク２１ｚを貫通穴で構成する場合、穴に治具をはめ込んで組み立てることができ、これにより、画像読取ユニット１０に対するＡＤＦユニット２０の位置精度をさらに向上させることができる。
【００８４】
位置調整マーク２１ｚは、三角形状に限らず、副走査方向の位置における主走査方向の長さ（マーク幅）が単調に増減する形状であればよく、例えば、半円形状、楕円形状等であってもよい。
さらに、位置調整マーク２１ｚが設けられるマーク保持部は、上流側ガイド部材２１ｐの下面に限らず、画像読取ユニット１０にて読み取ることができて、ＡＤＦユニット２０に対して一体的に設けられた部分であれば特に限定されない。例えば、第２プラテンガラス１６に対向するＡＤＦユニット２０の下面の所定位置をマーク保持部として、そのマーク保持部に位置調整マーク２１ｚを設けてもよい。この場合には、第２プラテンガラス１６上の位置調整マーク２１ｚの基準位置に対応して、マーク読取位置Ｍｙが設定され、そのマーク読取位置Ｍｙにおいて位置調整マーク２１ｚが画像読取ユニット１０によって読み取られる。
【００８５】
さらには、制御部５１にて演算されるＡＤＦユニット２０の副走査方向の位置ずれ量等を、操作パネル３０の表示部３２に表示する構成に限らず、画像形成装置本体Ａにおいて記録シートにプリントアウトする構成、音声出力する構成等としてもよい。
【産業上の利用可能性】
【００８６】
本発明は、画像読取ユニットに対して自動原稿搬送ユニット（ＡＤＦユニット）を副走査方向に位置決めする技術として有用である。
【符号の説明】
【００８７】
Ａ        画像形成装置本体
Ｂ        画像読取装置
１０      画像読取ユニット
１２      ラインセンサー
１３      第１プラテンガラス
１６      第２プラテンガラス
１８      第１スライダー
１９      第２スライダー
２０      ＡＤＦユニット
２１      ＡＤＦユニット本体
２１ｍ    第１読取経路
２１ｐ    上流側ガイド部材
２１ｘ    下流側ガイド部材
２１ｚ    位置調整マーク
２２      原稿給紙トレイ
２３      裏面読取ユニット
２７      読取モータ
３０      操作パネル
３１      入力操作部
３２      表示部
４０      支持機構
４１      読取側ブラケット
４２      ＡＤＦ側ブラケット
４３      支持軸
４４      ねじ部材
５１      制御部
【図１】
2011234201.tif 000003
【図２】
2011234201.tif 000004
【図３】
2011234201.tif 000005
【図４】
2011234201.tif 000006
【図５】
2011234201.tif 000007
【図６】
2011234201.tif 000008
【図７】
2011234201.tif 000009
【図８】
2011234201.tif 000010
【図９】
2011234201.tif 000011
【図１０】
2011234201.tif 000012
【図１１】
2011234201.tif 000013
【図１２】
2011234201.tif 000014